(57)【要約】【課題】放送局がシネマの映像にテロップなどのスーパーインポーズを挿入した場合、テレシネ映像信号では無いと判断されてしまうと言った問題を解決する。【解決手段】入力映像信号のフィールドまたはフレーム画面を複数の小領域に分割し、ラインごとにフレーム間差分絶対値と所定のスレッショルド値を比較し、フレーム間差分絶対値がスレッショルド値より大きい場合は同一フィールド非検出とし、小さい場合は同一フィールドが検出されたとしてテレシネ映像信号であると判断し、テレシネ映像信号のパターンが発生しなかった特定のラインのみ通常処理し、他のラインはテレシネ映像信号処理を行う。【選択図】  図２
2005012498.tif 000002
【特許請求の範囲】
【請求項１】
インタレース信号の入力映像信号の、フレーム間差分の絶対値の累積値から同一フィールドを検出し、前記同一フィールドが所定のフィールド期間に特定のパターンで発生した場合に、前記入力映像信号をテレシネ映像信号と判定するテレシネ映像信号検出方法を用い、水平方向の特定ラインのみパターンが発生しなかった場合、そのラインのみ通常処理し他のラインはテレシネ映像信号処理を行うことを特徴とするテレシネ映像信号の処理方法。
【請求項２】
垂直方向の特定ラインのみパターンが発生しなかった場合、そのラインのみ通常処理し、他のラインはテレシネ映像信号処理を行うことを特徴とする請求項１記載のテレシネ映像信号の処理方法。
【請求項３】
プログレッシブ信号の入力映像信号の、フレーム間差分の絶対値の累積値から同一フィールドを検出し、前記同一フィールドが所定のフィールド期間に特定のパターンで発生した場合に、前記入力映像信号をテレシネ映像信号と判定するテレシネ映像信号検出方法を用い、水平方向の特定ラインのみパターンが発生しなかった場合、そのラインのみ通常処理し他のラインはテレシネ映像信号処理を行うことを特徴とするテレシネ映像信号の処理方法。
【請求項４】
垂直方向の特定ラインのみパターンが発生しなかった場合、そのラインのみ通常処理し、他のラインはテレシネ映像信号処理を行うことを特徴とする請求項３記載のテレシネ映像信号の処理方法。
【請求項５】
入力映像信号のフィールドまたはフレーム画面を複数の小領域に分割し、前記小領域の水平または垂直方向１ライン分のフレーム間差分絶対値を検出し、前記フレーム間差分絶対値と所定のスレッショルド値を比較し、前記フレーム間差分絶対値のうちの１つが前記スレッショルド値より大きい場合は当該水平または垂直ラインに対応する画面領域は同一フィールド非検出として通常の映像処理を行い、前記フレーム間差分絶対値の全てが前記スレッショルド値より小さい場合は当該水平ラインに対応する画面領域は同一フィールドが検出されたとしてテレシネ映像処理することを特徴とするテレシネ映像信号の処理方法。
【請求項６】
請求項１〜５のいずれかのテレシネ映像信号の処理方法を用いたテレビジョン受像機。
【発明の詳細な説明】
【０００１】
【発明の属する技術分野】
本発明はテレビジョン受像機におけるテレシネ映像信号の検出および処理に関するものである。
【０００２】
【従来の技術】
従来の技術はフレーム全体がテレシネ映像信号かどうかを検出していた。従来技術によれば、フレーム画面を複数の小領域に分割し、それら小領域毎にフレーム間差分の絶対値の累算を行って、得られたフレーム間差分の絶対値の累算値を、あらかじめ設定されている閾値と比較して同一フレームの判定を行い、所定のフレーム期間に特定のパターンで同一フレームが発生した場合に、入力された映像信号をテレシネ映像信号と判定するようにしていた。（例えば特許文献１参照）
【０００３】
【特許文献１】
特開２００１−１９７３６３号公報
【０００４】
【発明が解決しようとする課題】
しかしながら上記のような検出方法では、放送局がシネマの映像にテロップなどのスーパーインポーズを挿入した場合、テレシネ映像信号では無いと判断されてしまうと言った問題点があった。
【０００５】
【課題を解決するための手段】
上記問題点を解決するため、本発明のテレシネ映像信号の処理方法は、フレームやフィールド全体でテレシネ映像信号であることを判断するのではなく、入力映像信号のフィールドまたはフレーム画面を複数の小領域に分割し、前記小領域の水平または垂直方向１ライン分のフレーム間差分絶対値を検出し、前記フレーム間差分絶対値と所定のスレッショルド値を比較し、前記フレーム間差分絶対値のうちの１つが前記スレッショルド値より大きい場合は当該水平または垂直ラインに対応する画面領域は同一フィールド非検出として通常の映像処理を行い、前記フレーム間差分絶対値の全てが前記スレッショルド値より小さい場合は当該水平ラインに対応する画面領域は同一フィールドが検出されたとしてテレシネ映像処理するものであり、特定のラインにテロップなどがある場合、そのラインは通常処理し、その他のラインをテレシネ映像信号処理するものである。
【０００６】
【発明の実施の形態】
本発明は、インタレース信号の入力映像信号のフレーム間差分の絶対値の累積値から同一フィールドを検出し、前記同一フィールドが所定のフィールド期間に特定のパターンで発生した場合に、前記入力映像信号をテレシネ映像信号と判定するテレシネ映像信号検出方法を用い、水平方向の特定ラインのみパターンが発生しなかった場合、そのラインのみ通常処理し他のラインはテレシネ映像信号処理を行うことを特徴とするテレシネ映像信号の処理方法であり、従来の問題であったテロップが挿入されたときにシネマモードにならないという問題を解決する。
【０００７】
また本発明は、上記テレシネ映像信号検出において、垂直方向のテロップ挿入時にシネマモードにならないという問題を解決する。
【０００８】
さらに本発明は、プログレッシブ信号の入力映像信号のテレシネ映像信号検出において、水平方向のテロップ挿入時にシネマモードにならないという問題を解決する。
【０００９】
また本発明は、プログレッシブ信号の入力映像信号のテレシネ映像信号検出において、垂直方向のテロップ挿入時にシネマモードにならないという問題を解決する。
【００１０】
（実施の形態１）
図１は画面を小領域に分割する概念図である。同図においてフィールド画面１０１（またはフレーム画面１０１）を複数の小領域１０２に分割し、小領域番号を割り当てる。小領域番号は、水平方向をＸ、垂直方向をＹとして、所定の分割数、すなわち同図においてはｘ＝ｎ、Ｙ＝ｍまで番号付けするとする。
【００１１】
図２は本実施の形態におけるテレシネ映像信号の処理方法のフローチャートを示すものである。以下、本フローチャートに基づいて説明する。
【００１２】
Ｓ２０１では小領域番号Ｘ＝１，Ｙ＝１に設定し、Ｓ２０２で小領域内のフレーム間差分絶対値を検出する。Ｓ２０３においてフレーム間差分絶対値がスレッショルド値ＴＨ１より大きいかどうか判定し、大きければその水平ラインは同一フィールド非検出とし（Ｓ２０４）、Ｓ２０９以降の処理に進む。小さければＳ２０５にて小領域番号Ｘは１足される。
【００１３】
Ｓ２０６にて小領域番号Ｘが分割数ｎより大きいかどうか判別され、小さければＳ２０２へ処理が戻り大きければＳ２０７で小領域番号Ｙの水平ラインは同一フィールドを検出したとしＳ２０８にて小領域番号Ｙの水平ラインをテレシネ映像処理する。Ｓ２０９では小領域信号Ｙを１足し、小領域信号Ｘを１に初期化する。Ｓ２１０で小領域信号Ｙが分割数ｍより大きいかどうか判別し、小さければＳ２０２に戻り大きければ処理を終了する。以上のように本実施例によれば、入力映像信号をテレシネ映像信号と判定するテレシネ映像信号検出の方法において、水平方向の特定ラインのみパターンが発生しなかった場合、そのラインのみ通常処理し、他のラインはテレシネ映像信号処理を行うことができる。
【００１４】
（実施の形態２）
図３は本実施の形態におけるテレシネ映像信号の処理方法のフローチャートを示すものである。小領域の分割に関しては実施の形態１と同様であるので説明を省略する。以下、図３のフローチャートに基づいて説明する。
【００１５】
Ｓ３０１では小領域番号Ｘ＝１，Ｙ＝１に設定し、Ｓ３０２で小領域内のフレーム間差分絶対値を検出する。Ｓ３０３においてフレーム間差分絶対値がスレッショルド値ＴＨ１より大きいかどうか判定し、大きければその垂直ラインは同一フィールド非検出とし（Ｓ３０４）、Ｓ３０９以降の処理に進む。小さければＳ３０５にて小領域番号Ｙは１足される。
【００１６】
Ｓ３０６にて小領域番号Ｙが分割数ｍより大きいかどうか判別され、小さければＳ３０２へ処理が戻り大きければＳ３０７で小領域番号Ｘの垂直ラインは同一フィールドを検出したとしＳ３０８にて小領域番号Ｘの垂直ラインをテレシネ映像処理する。Ｓ３０９では小領域信号Ｘを１足し、小領域信号Ｙを１に初期化する。Ｓ３１０で小領域信号Ｘが分割数ｎより大きいかどうか判別し、小さければＳ３０２に戻り大きければ処理を終了する。以上のように本実施例によれば、入力映像信号をテレシネ映像信号と判定するテレシネ映像信号検出の方法において、垂直方向の特定ラインのみパターンが発生しなかった場合、そのラインのみ通常処理し、他のラインはテレシネ映像信号処理を行うことができる。
【００１７】
【発明の効果】
以上のように本発明は特定ラインのみパターンが発生しなかった場合、そのラインのみ通常処理し他のラインはテレシネ映像信号処理を行うことを特徴とするテレシネ映像信号の処理方法を提供する。
【図面の簡単な説明】
【図１】画面を小領域に分割する概念図
【図２】本発明の第１の実施の形態における処理手順を示すフローチャート
【図３】本発明の第２の実施の形態における処理手順を示すフローチャート
【符号の説明】
１０１  フィールド画面（またはフレーム画面）
１０２  複数の小領域
【図１】
2005012498.tif 000003
【図２】
2005012498.tif 000004
【図３】
2005012498.tif 000005